(57)【特許請求の範囲】
【請求項１】
流体を送り出す流体送り部と、
互いに間隔を隔てて配置され、前記流体送り部により送り出される流体から力を受けることによって、流体の流れに交差する断面内を連続的に、かつ、順に横切るように設けられる複数の移動板と、
複数の前記移動板を所定の回転中心軸を中心に回転可能なように支持する支持部とを備え、
複数の前記移動板は、前記所定の回転中心軸の周りに環状に並んで配置され、
前記流体送り部は、環状に並ぶ複数の前記移動板の内側に配置され、前記所定の回転中心軸を中心とする半径方向外側を向いて開口する流体送出口を有する、流体送りを用いた装置。
【請求項２】
複数の前記移動板は、互いに間隔を隔てて円周上に並んで配置され、
前記移動板は、前記所定の回転中心軸に沿った両端に一方端および他方端を有し、前記一方端および前記他方端の間で前記所定の回転中心軸に対して非平行に延びて設けられる、請求項１に記載の流体送りを用いた装置。
【請求項３】
前記流体送り部により送り出される流体の流れ方向において前記移動板よりも上流側に設けられる光源をさらに備え、
前記流体送り部は、空気を送り出す送風部であり、
前記移動板は、前記光源から外部に向かう光の光量を調節する、請求項１または２に記載の流体送りを用いた装置。
【請求項４】
流体を送り出す流体送り部と、
互いに間隔を隔てて配置され、前記流体送り部により送り出される流体から力を受けることによって、流体の流れに交差する断面内を連続的に、かつ、順に横切るように設けられる複数の移動板とを備え、
前記移動板は、流体の流れ方向に対して傾斜して設けられ、
流体の流れ方向と前記移動板とがなす角度を設置角という場合に、複数の前記移動板は、前記移動板が流体から受ける力が異なるように、設置角が互いに異なる、または、形状が互いに異なる第１移動板および第２移動体を含む、流体送りを用いた装置。
【請求項５】
流体を送り出す流体送り部と、
互いに間隔を隔てて配置され、前記流体送り部により送り出される流体から力を受けることによって、流体の流れに交差する断面内を連続的に、かつ、順に横切るように設けられる複数の移動板とを備え、
複数の前記移動板は、流体の流れに交差する断面における前記流体送り部からの距離が互いに異なる第１移動板および第２移動板を含む、流体送りを用いた装置。
【請求項６】
流体を送り出す流体送り部と、
互いに間隔を隔てて円周上に並んで配置され、前記流体送り部により送り出される流体から力を受けることによって、流体の流れに交差する断面内を連続的に、かつ、順に横切るように設けられる複数の移動板と、
複数の前記移動板を所定の回転中心軸を中心に回転可能なように支持する支持部とを備え、
前記所定の回転中心軸が、複数の前記移動板が並ぶ円周の中心からずれて配置される、流体送りを用いた装置。
【発明の詳細な説明】
【技術分野】
【０００１】
この発明は、流体送りを用いた装置に関する。
【背景技術】
【０００２】
従来の流体送りを用いた装置に関連して、たとえば、特開２０１３−１９４６１４号公報には、風吹き範囲を広くしたものでありながら、構造が簡単で製造コストが低廉であることを目的とした、扇風機が開示されている（特許文献１）。特許文献１に開示された扇風機では、送風部が旋回自在に取り付けられるスタンドと、可動式ルーバとがワイヤにより連結されている。扇風機の首振りが左右の限界に近づいた時に、ワイヤが伸びきって可動式ルーバを外側方向へと動かすことによって、風が扇風機の首振り角度以上に広がる。
【０００３】
また、実開昭５９−６７５９９号公報には、外力その他により、ゴムローラがルーバより脱落した場合であっても自動的に復帰し、この種の故障を未然に防止することを目的とした、送風機が開示されている（特許文献２）。特許文献２に開示された送風機は、補助モーターで発生する動力がゴムローラを介して伝えられる風向変化用のルーバを有する。ルーバの外周部内側端面の一部には、切り欠き部と斜面とが形成されている。
【０００４】
また、実開昭６０−１１８４４１号公報には、暗闇でもルーバーの向きを目視にて確認して、風向きを容易に判別することを目的とした、風向変更装置が開示されている（特許文献３）。特許文献３に開示された風向変更装置は、風向を変更するためのルーバと、送風機器の風を受けて回転するファンと、ファンの回転をルーバに伝達して、ルーバを左右に揺動させる動力伝達機構とを有する。
【先行技術文献】
【特許文献】
【０００５】
【特許文献１】特開２０１３−１９４６１４号公報
【特許文献２】実開昭５９−６７５９９号公報
【特許文献３】実開昭６０−１１８４４１号公報
【発明の概要】
【発明が解決しようとする課題】
【０００６】
上述の特許文献１〜３に開示されるように、風向変更用のルーバを備えた各種の送風装置が知られている。このような送風装置においては、ルーバを簡易な構成で駆動させることが求められる。
【０００７】
しかしながら、特許文献１に開示された扇風機や、特許文献２に開示された送風機では、ルーバーを駆動させるための動力と、その動力をルーバに伝えるための動力伝達機構とが必要となる。また、特許文献３に開示された風向変更装置においても、送風機器の風を受けるためのファンと、ファンの回転をルーバに伝達するための動力伝達機構とが必要になる。
【０００８】
そこでこの発明の目的は、上記の課題を解決することであり、移動板を簡易な構成により駆動させることが可能な流体送りを用いた装置を提供することである。
【課題を解決するための手段】
【０００９】
この発明に従った流体送りを用いた装置は、流体を送り出す流体送り部と、互いに間隔を隔てて配置され、流体送り部により送り出される流体から力を受けることによって、流体の流れに交差する断面内を連続的に、かつ、順に横切るように設けられる複数の移動板と、複数の移動板を所定の回転中心軸を中心に回転可能なように支持する支持部とを備える。複数の移動板は、所定の回転中心軸の周りに環状に並んで配置される。流体送り部は、環状に並ぶ複数の移動板の内側に配置され、所定の回転中心軸を中心とする半径方向外側を向いて開口する流体送出口を有する。
この発明の別の局面に従った流体送りを用いた装置は、流体を送り出す流体送り部と、流体送り部により送り出される流体から力を受けることによって、流体の流れに交差する断面内を連続的に横切るように設けられる移動板とを備える。
【００１０】
また好ましくは、流体送りを用いた装置は、互いに間隔を隔てて配置され、流体の流れに交差する断面内を順に横切るように設けられる複数の移動板を備える。複数の移動板は、環状に並んで配置される。流体送りを用いた装置は、複数の移動板を回転可能に支持する支持部をさらに備える。
【００１１】
また好ましくは、流体送りを用いた装置は、互いに間隔を隔てて配置され、流体の流れに交差する断面内を順に横切るように設けられる複数の移動板を備える。移動板は、流体の流れ方向に対して傾斜して設けられる。流体の流れ方向と移動板とがなす角度を設置角という場合に、複数の移動板は、移動板が流体から受ける力が異なるように、設置角が互いに異なる、または、形状が互いに異なる第１移動板および第２移動体を含む。
【００１２】
また好ましくは、流体送りを用いた装置は、互いに間隔を隔てて配置され、流体の流れに交差する断面内を順に横切るように設けられる複数の移動板を備える。複数の移動板は、流体の流れに交差する断面における流体送り部からの距離が互いに異なる第１移動板および第２移動板を含む。
【００１３】
また好ましくは、流体送りを用いた装置は、互いに間隔を隔てて円周上に並んで配置され、流体の流れに交差する断面内を順に横切るように設けられる複数の移動板と、複数の移動板を回転可能に支持する支持部とをさらに備える。移動板は、複数の移動板の回転中心軸に沿った両端に一方端および他方端を有し、一方端および他方端の間で複数の移動板の回転中心軸に対して非平行に延びて設けられる。
【００１４】
また好ましくは、流体送りを用いた装置は、互いに間隔を隔てて円周上に並んで配置され、流体の流れに交差する断面内を順に横切るように設けられる複数の移動板と、複数の移動板を回転可能に支持する支持部とをさらに備える。複数の移動板の回転中心軸が、複数の移動板が並ぶ円周の中心からずれて配置される。
【００１５】
また好ましくは、流体送りを用いた装置は、流体送り部により送り出される流体の流れ方向において移動板よりも上流側に設けられる光源をさらに備える。流体送り部は、空気を送り出す送風部である。移動板は、光源から外部に向かう光の光量を調節する。
この発明のさらに別の局面に従った流体送りを用いた装置は、流体を送り出す流体送り部と、互いに間隔を隔てて配置され、流体送り部により送り出される流体から力を受けることによって、流体の流れに交差する断面内を連続的に、かつ、順に横切るように設けられる複数の移動板とを備える。移動板は、流体の流れ方向に対して傾斜して設けられる。流体の流れ方向と移動板とがなす角度を設置角という場合に、複数の移動板は、移動板が流体から受ける力が異なるように、設置角が互いに異なる、または、形状が互いに異なる第１移動板および第２移動体を含む。
この発明のさらに別の局面に従った流体送りを用いた装置は、流体を送り出す流体送り部と、互いに間隔を隔てて配置され、流体送り部により送り出される流体から力を受けることによって、流体の流れに交差する断面内を連続的に、かつ、順に横切るように設けられる複数の移動板とを備える。複数の移動板は、流体の流れに交差する断面における流体送り部からの距離が互いに異なる第１移動板および第２移動板を含む。
この発明のさらに別の局面に従った流体送りを用いた装置は、流体を送り出す流体送り部と、互いに間隔を隔てて円周上に並んで配置され、流体送り部により送り出される流体から力を受けることによって、流体の流れに交差する断面内を連続的に、かつ、順に横切るように設けられる複数の移動板と、複数の移動板を所定の回転中心軸を中心に回転可能なように支持する支持部とを備える。所定の回転中心軸が、複数の移動板が並ぶ円周の中心からずれて配置される。
【発明の効果】
【００１６】
以上に説明したように、この発明に従えば、移動板を簡易な構成により駆動させることが可能な流体送りを用いた装置を提供することができる。
【図面の簡単な説明】
【００１７】
【図１】本発明が適用された送風装置を模式的に表わす図である。
【図２】図１中の送風装置において、移動板の静止時の状態と、移動板の移動時の状態とを示す図である。
【図３】図１中の送風装置における移動板の形状の別の例を示す断面図である。
【図４】図１中の送風装置における移動板の配置の別の例を示す図である。
【図５】図４中の送風装置において、移動板の静止時の状態と、移動板の回転時の状態とを示す図である。
【図６】図４中の送風装置の第１変形例を示す図である。
【図７】図４中の送風装置の第２変形例を示す図である。
【図８】図４中の送風装置の第３変形例を示す図である。
【図９】図４中の送風装置の第４変形例を示す図である。
【図１０】図４中の送風装置の第５変形例を示す図である。
【図１１】図４中の送風装置の第６変形例を示す図である。
【図１２】この発明の実施の形態１における送風装置を示す斜視図である。
【図１３】図１２中の送風装置を示す正面図である。
【図１４】図１３中の矢印ＸＩＶに示す方向から見た送風装置を示す上面図である。
【図１５】図１３中のＸＶ−ＸＶ線上に沿った送風装置を示す断面図である。
【図１６】図１５中の２点鎖線ＸＶＩで囲まれた範囲を拡大して示す断面図である。
【図１７】図１３中のＸＶＩＩ−ＸＶＩＩ線上に沿った送風装置を示す断面図である。
【図１８】図１７中の移動板の配置の第１変形例を示す断面図である。
【図１９】図１７中の移動板の配置の第２変形例を示す断面図である。
【図２０】この発明の実施の形態２における送風装置を示す斜視図である。
【図２１】図２０中の送風装置が備える風向変更装置を拡大して示す図である。
【図２２】この発明の実施の形態３における照明装置を示す斜視図である。
【図２３】図２２中の照明装置を示す正面図である。
【図２４】図２３中の矢印ＸＸＩＶに示す方向から見た照明装置を示す上面図である。
【図２５】図２３中のＸＸＶ−ＸＸＶ線上に沿った照明装置を示す断面図である。
【発明を実施するための形態】
【００１８】
この発明の実施の形態について、図面を参照して説明する。なお、以下で参照する図面では、同一またはそれに相当する部材には、同じ番号が付されている。
【００１９】
（本発明の基本原理について）
代表的に送風装置を例に挙げて、本発明の基本原理について説明する。図１は、本発明が適用された送風装置を模式的に表わす図である。図１を参照して、送風装置１０は、送風部２１と、複数の移動板３１と、支持部３２とを有する。
【００２０】
送風部２１は、流体を送り出す流体送り部として設けられている。送風部２１は、流体としての空気を外部空間に送り出す。送風部２１は、ファン２２を有する。ファン２２は、中心軸１０１を中心に回転可能に設けられている。送風部２１は、送風口２３を有する。送風口２３は、外部空間に面して開口している。ファン２２の回転に伴って形成される空気流れ（気流）は、送風口２３を通じて外部空間に送り出される。
【００２１】
複数の移動板３１および支持部３２は、送風部２１により発生された気流の送風方向を変更する風向変更装置３０を構成する。
【００２２】
移動板（案内板）３１は、板形状を有する。移動板３１は、その板形状が有する２つの主面のうちの一方により構成される表面３１ａを有する。表面３１ａは、平面である。表面３１ａは、平面に限られず、湾曲面であってもよい。
【００２３】
移動板３１は、送風部２１により発生された気流の送風方向（矢印１１１に示す方向、以下、送風部２１からの送風方向ともいう）に対して傾斜して設けられている。移動板３１は、送風口２３に対向する位置において、送風部２１からの送風方向に対して傾斜して設けられている。移動板３１は、送風口２３に対向する位置において、表面３１ａが送風部２１からの送風方向に対して斜め方向に延在するように設けられている。移動板３１は、送風口２３に対向する位置において、表面３１ａが送風口２３に面するように配置されている。
【００２４】
移動板３１は、送風部２１から送り出される空気から力を受けることによって、送風部２１により発生された気流に交差する断面内を連続的に横切るように設けられている。移動板３１は、送風部２１から送り出される空気から力を受けることによって、送風口２３に対向する位置を連続的に移動するように設けられている。移動板３１は、送風部２１により発生された気流が表面３１ａに衝突することによって、送風部２１からの送風方向に交差する方向（より具体的には、矢印１１３に示す直交方向）に移動するように設けられている。
【００２５】
複数の移動板３１は、互いに間隔を隔てて配置されている。複数の移動板３１は、等ピッチで配置されている。複数の移動板３１は、後述する設置角が互いに等しくなるように設けられている。複数の移動板３１は、互いに同じ形状を有する。
【００２６】
複数の移動板３１は、送風口２３に対向する位置において、直線上に並んで設けられている。複数の移動板３１は、送風口２３に対向する位置において、送風部２１からの送風方向に直交する方向に並んで設けられている。複数の移動板３１は、送風口２３に対向する位置で送風部２１から送り出される空気から力を受けることによって、送風部２１により発生された気流に交差する断面内を順に横切るように設けられている。
【００２７】
支持部３２は、移動板３１が送風部２１により発生された気流に交差する断面内を連続的に移動可能なように複数の移動板３１を支持している。支持部３２は、レール等によって、移動板３１が送風口２３に対向する位置を連続的に移動可能なように複数の移動板３１を支持している。
【００２８】
図２は、図１中の送風装置において、移動板の静止時の状態と、移動板の移動時の状態とを示す図である。
【００２９】
図１および図２を参照して、送風口２３に対向する位置において、送風部２１からの送風方向（矢印１１１に示す方向）と、移動板３１（表面３１ａ）とがなす角度を、設置角という。送風部２１により発生された気流が風向変更装置３０を通過する際、移動板３１の設置角により、送風部２１からの送風方向が、矢印１１１に示す方向から矢印１１２に示す方向に整流される。このとき、移動板３１が気流から送風部２１からの送風方向に交差する成分の力（より具体的には、直交する成分の力）を受けることによって、複数の移動板３１は、矢印１１３に示す方向に移動する。
【００３０】
風向変更装置３０による整流前の送風方向（矢印１１１に示す方向）と、整流後の送風方向（矢印１１２に示す方向）とがなす角度を、整流角という。移動板３１の静止時と、移動板３１の移動時とでは、整流角が異なる。移動板３１の静止時の整流角をａとし、移動板３１の移動時の整流角をｂとすると、整流角ａ＞整流角ｂの関係が成り立つ。送風部２１からの送風方向と、移動板３１とがなす設置角をＡとすると、移動板３１の静止時の整流角ａは、設置角Ａとほぼ等しくなる。一方、移動板３１の移動時には、移動板３１が整流前の気流を横切るように通過するため、移動板３１による整流効果が減じることになる。
【００３１】
このような原理から、送風装置１０においては、移動板３１の静止時の送風方向と、移動板３１の移動時の送風方向とを得ることが可能となる。移動板３１の静止時の送風方向を任意のタイミングで得るために、移動板３１に対してブレーキ機構が設けられてもよい。
【００３２】
送風装置１０においては、移動板３１の設置角に応じて、移動板３１が気流から受ける力（すなわち、移動板３１の駆動力）の大きさが変化する。より具体的には、移動板３１の設置角が大きいほど移動板３１の駆動力が大きくなり、移動板３１の設置角が小さいほど移動板３１の駆動力が小さくなる。このため、移動板３１の設置角を通じて、移動板３１の移動速度を任意に設定することができる。
【００３３】
風向変更装置３０による整流方向は、移動板３１の設置角のほか、移動板３１の形状やサイズ、送風口２３に対向する位置に同時に配置される移動板３１の枚数、隣り合う移動板３１間の開口率、移動板３１の移動速度、風向変更装置３０の重量、移動板３１の移動時に生じる摩擦力等の抵抗などによって定められる。
【００３４】
なお、ここでは、送風部２１により発生された気流を用いて移動板３１を駆動させる送風装置１０について説明したが、移動板の駆動力を得るための流体としては、空気の他に、水等の液体やゲル、システム内で相変化する冷媒等を用いることも可能である。また、ここでは、風向変更板として機能する移動板３１について説明したが、本発明における移動板は、このような流体自身の挙動を変更するものに限られない。本発明における移動板は、たとえば、流体とともに移動するものや流体によって伝播されるもの（たとえば、イオンや芳香剤、ミストなど）の挙動を変更する機能を有してもよい。
【００３５】
図３は、図１中の送風装置における移動板の形状の別の例を示す断面図である。図３を参照して、本例では、図１中の移動板３１に替えて、移動板３３が用いられている。移動板３３は、翼断面形状を有する。
【００３６】
より具体的には、移動板３３は、空気が流入する前端部３４と、空気が流出する後端部３５とを有する。移動板３３は、前端部３４が図１中の送風口２３と対向するように配置されている。移動板３３は、正圧面３３ａおよび負圧面３３ｂを有する。正圧面３３ａおよび負圧面３３ｂは、互いに表裏に配置されており、前端部３４および後端部３５の間で延在する。
【００３７】
送風部２１により発生された気流が正圧面３３ａおよび負圧面３３ｂに沿って流れると、正圧面３３ａに相対的に大きい圧力が作用し、負圧面３３ｂに相対的に小さい圧力が作用する。この結果、移動板３３には、正圧面３３ａから負圧面３３ｂに向かう力が駆動力として作用して、移動板３３が矢印１１３に示す方向に移動する。
【００３８】
本発明においては、必ずしも移動板を流体の流れ方向に対して傾斜して設ける必要がなく、たとえば、翼断面形状を有する移動板を用いることにより、移動板が流体の流れ方向に平行に配置された場合にも、移動板が駆動力を得る構成を実現することが可能である。
【００３９】
図４は、図１中の送風装置における移動板の配置の別の例を示す図である。図４を参照して、本例では、複数の移動板３１が環状に並んで配置されている。複数の移動板３１は、円周１４１上に並んで配置されている。複数の移動板３１は、設置角が互いに等しくなるように設けられている。複数の移動板３１は、等ピッチで配置されている。複数の移動板３１は、互いに同じ形状を有する。
【００４０】
支持部３２は、円周１４１上に並ぶ複数の移動板３１を一体に支持するように設けられている。支持部３２は、複数の移動板３１を回転中心軸１３１を中心に回転可能なように支持している。移動板３１は、回転中心軸１３１を中心とする半径方向に対して傾いて配置されている。
【００４１】
回転中心軸１３１を中心に回転する複数の移動板３１は、見掛け上、円筒状の回転体を形成する。送風口２３は、その回転体の内側に配置されている。送風口２３は、その回転体の内側で、回転中心軸１３１を中心とする半径方向外側を向いて開口している。
【００４２】
図５は、図４中の送風装置において、移動板の静止時の状態と、移動板の回転時の状態とを示す図である。
【００４３】
図４および図５を参照して、複数の移動板３１は、送風口２３に対向する位置で送風部２１から送り出される空気から力を受けることによって、回転中心軸１３１を中心に矢印１３２に示す方向に回転移動する。移動板３１の回転速度は、移動板３１が受ける気流の抵抗や、移動板３１の回転に伴う摩擦力等に応じて、一定速度に収束する。移動板３１の静止時、送風部２１からの気流が送風範囲１３３に整流され、移動板３１の回転時、送風部２１からの気流が送風範囲１３４に整流される。
【００４４】
本例では、複数の移動板３１を同心円状に配置するとともに、その内側に送風口２３を配置することによって、移動板３１が送風部２１により発生された気流に交差する断面内を連続的に横切る構造を、簡易な構成により実現することができる。複数の移動板３１は、設置角が互いに等しくなるように設けられているため、連続的、かつ、安定的に回転する。このため、移動板３１の回転時、送風部２１からの気流を一定の送風範囲に整流することができる。
【００４５】
続いて、上記に説明した送風装置において、移動板３１の駆動に動的な変化を生じさせて、風向を変化させる方法について説明する。そのような方法としては、移動板３１の設置角の違いを設ける方法や、送風口２３から移動板３１までの距離に違いを設ける方法、移動板３１間のピッチに違いを設ける方法、移動板３１の形状に違いを設ける方法などがある。
【００４６】
図６は、図４中の送風装置の第１変形例を示す図である。図６を参照して、本変形例では、複数の移動板３１として、複数の移動板３１Ｐと、複数の移動板３１Ｑとが設けられている。
【００４７】
複数の移動板３１Ｐは、回転中心軸１３１を中心とする周方向において、連続して並んで配置されている。複数の移動板３１Ｑは、回転中心軸１３１を中心とする周方向において、連続して並んで配置されている。複数の移動板３１Ｐと、複数の移動板３１Ｑとは、同数設けられている。
【００４８】
移動板３１Ｐおよび移動板３１Ｑは、互いに異なる設置角により設けられている。移動板３１Ｐは、送風部２１からの送風方向に対して正の角度をなす設置角により設けられ、移動板３１Ｑは、送風部２１からの送風方向に対して負の角度をなす設置角により設けられている。すなわち、移動板３１Ｐが設置角αにより設けられ、移動板３１Ｑが設置角βにより設けられる場合に、設置角αは、０°＜α＜９０°の関係を満たし、設置角βは、−９０°＜β＜０°の関係を満たす。特に図中に示す例では、設置角αおよび設置角βの絶対値が等しい。たとえば、設置角αが３０°であり、設置角βが−３０°である。
【００４９】
複数の移動板３１は、送風口２３に対向する位置で送風部２１から送り出される空気から力を受けることによって、回転中心軸１３１を中心に回転移動する。この際、移動板３１Ｐが送風口２３に対向する位置を移動する間には、移動板３１Ｐに対して矢印１３５に示す方向の力が作用し、移動板３１Ｑが送風口２３に対向する位置を移動する間には、移動板３１Ｑに対して矢印１３６に示す方向の力が作用する。
【００５０】
図６中の正回転時の図に示すように、移動板３１Ｐが送風部２１から送り出される空気から力を受けることによって、複数の移動板３１は、矢印１３５に示す方向に回転する。次に、移動板３１Ｑが送風口２３に対向する位置に達すると、送風部２１から送り出される空気から移動板３１Ｑに作用する力がブレーキとなって、複数の移動板３１の回転速度が減じる。やがて複数の移動板３１の回転が停止し、次に、図６中の逆回転時の図に示すように、矢印１３５に示す方向とは逆方向の矢印１３６に示す方向に回転し始める。
【００５１】
すなわち、複数の移動板３１は、矢印１３５に示す方向に回転する正回転と、矢印１３６に示す方向に回転する逆回転とを繰り返す。この間、移動板３１Ｐが送風口２３に対向する位置を移動するタイミングでは、送風部２１からの気流が送風範囲１３７に整流され、移動板３１Ｑが送風口２３に対向する位置を移動するタイミングでは、送風部２１からの気流が送風範囲１３８に整流される。
【００５２】
このように本変形例では、複数の移動板３１の回転速度は、一定速度に収束せず、緩急のある回転運動となる。送風口２３に対向する位置に配置される移動板３１の設置角が、移動板３１Ｐおよび移動板３１Ｑで異なり、さらに、移動板３１の移動速度は刻々と変化するため、動的な風向変化を形成することができる。
【００５３】
なお、複数の移動板３１は、必ずしも３６０°の範囲に渡って設けられる必要はなく、３６０°よりも小さい角度の範囲で正回転および逆回転を繰り返すように、複数の移動板３１が配置されてもよい。移動板３１Ｐおよび移動板３１Ｑの境界に、設置角αおよび設置角βとは異なる設置角の移動板３１が設けられてもよい。
【００５４】
その他の例として、正負が同じで、互いに異なる設置角を有する移動板３１Ｐおよび移動板３１Ｑを、ランダムかつ等ピッチに配置してもよい。たとえば、設置角３０°の複数の移動板３１Ｐを周方向に連続して配置し、残る位置に設置角４５°の複数の移動板３１Ｑを配置してもよい。この場合、設置角の差によって、移動板３１が気流から受ける力が不均一となり、移動板３１の回転速度は一定速度に収束しない。移動板３１の移動速度による差および設置角の違いによって、整流方向が一定でない動的な風向変化を作り出すことができる。
【００５５】
その他の例として、正負が逆で、絶対値が互いに異なる設置角を有する移動板３１Ｐおよび移動板３１Ｑを、ランダムかつ等ピッチで配置してもよい。たとえば、設置角３０°の複数の移動板３１Ｐと、設置角−２０°の複数の移動板３１Ｑとを配置した場合、移動板３１Ｑが気流から受ける力は、移動板３１Ｐが気流から受ける力の反対方向であり、回転運動としては減速のような作用となる。この場合、複数の移動板３１の回転速度は、一定速度に収束せず、緩急のある回転運動となる。先と同様に、移動板３１の移動速度による差および設置角の違いによって、整流方向が一定でない動的な風向変化を作り出すことができる。
【００５６】
図７は、図４中の送風装置の第２変形例を示す図である。図７を参照して、本変形例では、複数の移動板３１が、多角形の辺１４６上に並んで配置されている。複数の移動板３１は、六角形の辺１４６上に並んで配置されている。
【００５７】
複数の移動板３１は、送風口２３に対向する位置で送風部２１から送り出される空気から力を受けることによって、回転中心軸１３１を中心に矢印１３２に示す方向に回転移動する。ここで、送風口２３から移動板３１までの距離が大きいほど、移動板３１が気流から受ける力（駆動力）が小さくなる。この場合、移動板３１の回転速度が遅くなり、送風範囲は広くなる。一方、送風口２３から移動板３１までの距離が小さいほど、移動板３１が気流から受ける力（駆動力）が大きくなる。この場合、移動板３１の回転速度が速くなり、送風範囲は狭くなる。
【００５８】
本変形例では、送風口２３から移動板３１までの距離が、移動板３１が配置される多角形の辺１４６の位置によって異なる。より具体的には、多角形の辺１４６の角部に近い位置に配置された移動板３１ほど、送風口２３から移動板３１までの距離は大きくなり、多角形の辺１４６の中央部に近い位置に配置された移動板３１ほど、送風口２３から移動板３１までの距離は小さくなる。複数の移動板３１の回転に伴って、送風口２３から移動板３１までの距離が刻々と変化することによって、動的な風向変化を形成することができる。
【００５９】
図８は、図４中の送風装置の第３変形例を示す図である。図８を参照して、複数の移動板３１は、円周１４１上に並んで配置されている。支持部３２は、円周１４１上に並ぶ複数の移動板３１を一体に支持するように設けられている。支持部３２は、複数の移動板３１を回転中心軸１３１を中心に回転可能なように支持している。本変形例では、回転中心軸１３１が、複数の移動板３１が並ぶ円周１４１の中心１３９からずれて配置されている。
【００６０】
複数の移動板３１は、送風口２３に対向する位置で送風部２１から送り出される空気から力を受けることによって、回転中心軸１３１を中心に回転移動する。この際、送風口２３から移動板３１までの距離は、回転中心軸１３１および円周１４１の中心１３９の相対的な位置関係によって変化する。より具体的には、円周１４１の中心１３９が送風口２３の裏側にあるとき、送風口２３から移動板３１までの距離が最も小さくなり（図８中の左図）、円周１４１の中心１３９が送風口２３の正面にあるとき、送風口２３から移動板３１までの距離が最も大きくなる（図８中の右図）。複数の移動板３１の回転に伴って、送風口２３から移動板３１までの距離が刻々と変化することによって、動的な風向変化を形成することができる。
【００６１】
図９は、図４中の送風装置の第４変形例を示す図である。図９を参照して、本変形例では、複数の移動板３１として、複数の移動板３１Ｐと、複数の移動板３１Ｑとが設けられている。複数の移動板３１Ｐは、回転中心軸１３１を中心とする周方向において、連続して並んで配置されている。複数の移動板３１Ｑは、回転中心軸１３１を中心とする周方向において、連続して並んで配置されている。複数の移動板３１Ｐと、複数の移動板３１Ｑとは、互いに異なるピッチにより設けられている。複数の移動板３１は、互いに同じ形状を有し、同じ設置角を有するように設けられている。
【００６２】
複数の移動板３１は、送風口２３に対向する位置で送風部２１から送り出される空気から力を受けることによって、回転中心軸１３１を中心に矢印１３２に示す方向に回転移動する。ここで、移動板３１間のピッチが狭いほど、移動板３１の回転速度が速くなり、送風範囲は狭くなる。移動板３１間のピッチが広いほど、移動板３１の回転速度が遅くなり、送風範囲は広くなる。
【００６３】
本変形例では、相対的に狭いピッチで設けられた複数の移動板３１Ｐと、相対的に広いピッチで設けられた複数の移動板３１Ｑとが、送風口２３に対向する位置に入れ替わり配置されるため、動的な風向変化を形成することができる。
【００６４】
図１０は、図４中の送風装置の第５変形例を示す図である。図１０を参照して、本変形例では、複数の移動板３１として、複数の移動板３１Ｐと、複数の移動板３１Ｑとが設けられている。複数の移動板３１Ｐは、円周１４２上に並んで配置され、複数の移動板３１Ｑは、円周１４３上に並んで配置されている。円周１４２および円周１４３は、同心であり、互いに異なる直径を有する。
【００６５】
支持部３２は、複数の移動板３１Ｐと、複数の移動板３１Ｑとを一体の支持するように設けられている。支持部３２は、複数の移動板３１Ｐと、複数の移動板３１Ｑとを回転中心軸１３１を中心に回転可能なように支持している。
【００６６】
移動板３１Ｐおよび移動板３１Ｑは、送風部２１からの送風方向に対して正の角度をなす設置角により設けられている。複数の移動板３１Ｐは、ランダムなピッチにより設けられている。複数の移動板３１Ｑは、ランダムなピッチにより設けられている。複数の移動板３１は、ランダムな設置角により設けられている。複数の移動板３１は、厚みや空気の流れ方向における長さといった形状が不揃いとなるように設けられている。
【００６７】
複数の移動板３１は、送風口２３に対向する位置で送風部２１から送り出される空気から力を受けることによって、回転中心軸１３１を中心に矢印１３２に示す方向に回転移動する。この際、複数の移動板３１の回転に伴って、送風口２３に対向する位置を移動する移動板３１の設置角、送風口２３から移動板３１までの距離、移動板３１の形状、移動板３１間のピッチの組み合わせが刻々と変化するため、動的な風向変化を形成することができる。
【００６８】
以上に説明したように、移動板３１は、その配置方法や形状等を組み合わせることによって、風向変更装置３０の１周期の動きを規定することが可能である。より具体的には、移動板３１が配置される円周の直径や、移動板３１の枚数、形状、ピッチ、回転速度等を適宜設定することによって、一定周期の移動板３１の動きおよび風に動きを与えることができ、周期性のある風を再現可能となる。
【００６９】
続いて、複数の風向変更装置を備える送風装置について説明する。
図１１は、図４中の送風装置の第６変形例を示す図である。図１１を参照して、本変形例における送風装置は、風向変更装置３０Ａおよび風向変更装置３０Ｂを有する。風向変更装置３０Ａは、複数の移動板３１Ｐおよび支持部３２Ｐから構成され、風向変更装置３０Ｂは、複数の移動板３１Ｑおよび支持部３２Ｑから構成されている。
【００７０】
複数の移動板３１Ｐは、円周１４７上に並んで配置され、複数の移動板３１Ｑは、円周１４８上に並んで配置されている。円周１４７および円周１４８は、同心であり、互いに異なる直径を有する。複数の移動板３１Ｐは、送風部２１からの送風方向に対して負の角度をなす設置角により設けられている。複数の移動板３１Ｑは、送風部２１からの送風方向に対して正の角度をなす設置角により設けられている。
【００７１】
支持部３２Ｐは、円周１４７上に並ぶ複数の移動板３１Ｐを一体に支持するように設けられている。支持部３２Ｐは、複数の移動板３１Ｐを回転中心軸１３１を中心に回転可能なように支持している。支持部３２Ｑは、円周１４８上に並ぶ複数の移動板３１Ｑを一体に支持するように設けられている。支持部３２Ｑは、複数の移動板３１Ｑを回転中心軸１３１を中心に回転可能なように支持している。支持部３２Ｐおよび支持部３２Ｑは、互いに独立して、それぞれ複数の移動板３１Ｐおよび複数の移動板３１Ｑを支持している。
【００７２】
複数の移動板３１Ｐは、送風口２３に対向する位置で送風部２１から送り出される空気から力を受けることによって、回転中心軸１３１を中心に矢印１３６に示す方向に回転移動する。複数の移動板３１Ｑは、送風口２３に対向する位置で送風部２１から送り出される空気から力を受けることによって、回転中心軸１３１を中心に矢印１３５に示す方向に回転移動する。
【００７３】
なお、本実施の形態では、風向変更装置３０Ａにおける複数の移動板３１Ｐと、風向変更装置３０Ｂにおける複数の移動板３１Ｑとを、回転中心軸１３１を中心に同心円状に配置したが、このような構成に限られず、たとえば、回転中心軸１３１の軸上に並べて配置してもよい。
【００７４】
（実施の形態１）
以下の実施の形態では、本発明の基本原理で説明した送風装置のより具体的に構成について説明する。
【００７５】
図１２は、この発明の実施の形態１における送風装置を示す斜視図である。図１３は、図１２中の送風装置を示す正面図である。図１４は、図１３中の矢印ＸＩＶに示す方向から見た送風装置を示す上面図である。図１５は、図１３中のＸＶ−ＸＶ線上に沿った送風装置を示す断面図である。
【００７６】
図１２から図１５を参照して、本実施の形態における送風装置５０は、送風部１５０と、複数の移動板６１と、支持部６９とを有する。
【００７７】
送風部１５０は、ベース部５１、ファン５２、モータ５３および首部５４を有する。ベース部５１は、略円筒形状のケース体であり、地面に載置される。ベース部５１の内部には、ファン５２およびモータ５３が収容されている。ファン５２は、鉛直方向に平行な中心軸１５６を中心に回転可能に設けらている。モータ５３は、ファン５２の動力源として設けられている。ベース部５１は、地面と対向して配置される底部５１ｎを有する。底部５１ｎには、吸い込み口（不図示）が形成されている。
【００７８】
首部５４は、ベース部５１から鉛直上方向に円筒状に延びて設けられている。首部５４の内部には、ベース部５１内に連通する空気流路が形成されている。鉛直上方向に延びる首部５４の先端には、送風口５５が設けられている。送風口５５は、水平方向を向いて開口している。
【００７９】
ファン５２の回転に伴って、空気が底部５１ｎに設けられた吸い込み口を通じてベース部５１内に流入する。空気は、ベース部５１内から首部５４内の空気流路を通って、送風口５５に達する。
【００８０】
なお、送風口５５は、水平方向以外の方向（たとえば、斜め上方向）を向いて開口してもよい。また、本実施の形態では、送風に直進性を持たせるため、送風口５５に気流を絞り込む形状を選択しているが、送風口５５は、このような構成に限られず、たとえば、３６０°の全周囲に送風する形状を有してもよい。
【００８１】
複数の移動板６１および支持部６９は、送風部１５０により発生された気流の送風方向を変更する風向変更装置１６０を構成する。
【００８２】
複数の移動板６１は、鉛直方向に平行な回転中心軸１５７を中心する円周上に並んで配置されている。支持部６９は、その構成部位として、頂部６２および底部６３を有する。頂部６２は、複数の移動板６１の上端部を互いに連結するように設けられている。底部６３は、複数の移動板６１の下端部を互いに連結するように設けられている。底部６３には、首部５４が挿入される開口部６４が形成されている。
【００８３】
送風口５５は、円周上に並ぶ複数の移動板６１の内側に配置されている。移動板６１は、送風口５５の高さ寸法に対して同等以上のサイズであり、送風口５５からの気流をもれなく受けられるように配置されている。
【００８４】
図１６は、図１５中の２点鎖線ＸＶＩで囲まれた範囲を拡大して示す断面図である。図１２から図１６を参照して、支持部６９は、複数の移動板６１を回転中心軸１５７を中心に回転可能なように支持している。
【００８５】
より具体的には、頂部６２には、凹部６２ｒが形成されている。凹部６２ｒは、円錐状の凹形状を有する。送風部１５０は、軸部５６をさらに有する。軸部５６は、首部５４から回転中心軸１５７に沿って軸状に延びる形状を有する。軸部５６は、軸状に延びる先に先鋭化された先端部を有する。凹部６２ｒに軸部５６の先端部が嵌め合わされることにより、支持部６９は、軸部５６に点接触して設けられている。
【００８６】
支持部６９は、その構成部位として、ガイド部６６をさらに有する。ガイド部６６は、頂部６２から円筒状に延出し、軸部５６を取り囲むように設けられている。移動板６１が送風口５５からの気流を受けると、風向変更装置１６０は揺れながら回転する。本実施の形態では、軸部５６の軸受けとして機能するガイド部６６を設けることによって、風向変更装置１６０を回転中心軸１５７を中心に安定して回転させることができる。
【００８７】
図１７は、図１３中のＸＶＩＩ−ＸＶＩＩ線上に沿った送風装置を示す断面図である。図１７を参照して、複数の移動板６１は、図４中に示す複数の移動板３１と同じ形態で配置されている。すなわち、複数の移動板６１は、設置角が互いに等しくなるように設けられている。複数の移動板６１は、等ピッチで配置されている。
【００８８】
複数の移動板６１は、送風口５５に対向する位置で送風部１５０から送り出される空気から力を受けることによって、回転中心軸１５７を中心に矢印１３２に示す方向に回転移動する。複数の移動板６１の回転速度は、送風部１５０により発生する気流の風量・風圧等により調整可能である。風量を増やせば、回転速度が高速となり、風量を減らせば、回転速度が低速となる。また、一定風量における複数の移動板６１の回転速度は、移動板６１の形状・設置角・ピッチである程度設定可能である。実際には、凹部６２ｒおよび軸部５６間で生じる摩擦力や、移動板６１が受ける風の抵抗等の影響を受けることになる。
【００８９】
複数の移動板６１の静止時、送風の整流角が最大となり、複数の移動板６１が回転することにより、送風の整流角を抑えることができる。結果、複数の移動板６１の回転に伴って、送風方向（範囲）を調節することができる。
【００９０】
複数の移動板６１の回転速度は、送風口５５および移動板６１の間の距離にも影響を受ける。この距離を短くすると、送風部１５０から大きな風力を受けることができる一方、送風口５５に対向する位置に配置される移動板６１の枚数が減少することになる。複数の移動板６１は、開口率７０％を下回らないように配置することが好ましく、移動板６１の厚み・幅・設置角・ピッチおよび枚数が適宜選択される。
【００９１】
図１８は、図１７中の移動板の配置の第１変形例を示す断面図である。図１８を参照して、本変形例では、複数の移動板６１として、複数の移動板６１Ｐと、複数の移動板６１Ｑとが設けられている。複数の移動板６１Ｐおよび複数の移動板６１Ｑは、図６中の複数の移動板３１Ｐおよび複数の移動板３１Ｑと同じ形態で設けられている。
【００９２】
移動板６１の設置角やピッチを調整することにより、移動板６１の回転に周期性を持たせることが可能である。図中では、１６枚の移動板６１を等ピッチに配置する構成から、設置角の正負を逆にした８枚の移動板６１に置き換えることにより、複数の移動板６１が正回転および逆回転を繰り返すように構成する。これにより、複数の移動板６１の回転に伴って移動板６１の設置角が切り替わるため、送風範囲を拡大させることができる。
【００９３】
図１９は、図１７中の移動板の配置の第２変形例を示す断面図である。図１９を参照して、本変形例では、図１８中を参照して説明した移動板６１Ｐおよび移動板６１Ｑがランダムに配置されている。
【００９４】
設置角の正負を逆にした移動板６１は、元の設置角の移動板６１と比較して逆向きの回転力（駆動力）を得るため、見掛け上、減速の作用が得られる。図中に示す例では、得られる回転力およびその向きが一定でないため、緩急のある回転運動になり、送風は安定せず、強弱のある風となる。回転中心軸１５７の軸周りにおける複数の移動板６１の配置に応じた、周期性のある風を作り出せすことが可能であり、任意の揺らぎを再現できる。自然界の揺らぎで心地よいとされている「１／ｆ揺らぎ」のような風を作り出すことも可能である。
【００９５】
なお、移動板６１を円滑に回転させ続けるため、正の設置角の移動板６１の枚数と、負の設置角の移動板６１の枚数とに差を設けることが好ましい。
【００９６】
複数の移動板６１の静止と回転との制御だけではなく、移動板６１の回転速度を調整できれば、より細やかな風向調整が可能となる。たとえば、ブレーキ機構を設けることにより、静止および回転速度の低減を実現することができる。このようなブレーキ機構としては、軸部５６との間に任意の大きさの摩擦力を生じさせることが可能なチャック構造などが挙げられる。
【００９７】
なお、本実施の形態における送風装置５０は、イオン発生装置をさらに有してもよい。イオン発生装置は、ファン５２から送風口５５に向かう空気流路に設置される。この場合、移動板６１の回転に伴って、イオンの送出方向を変化させることができる。
【００９８】
（実施の形態２）
図２０は、この発明の実施の形態２における送風装置を示す斜視図である。図２１は、図２０中の送風装置が備える風向変更装置を拡大して示す図である。
【００９９】
図２０および図２１を参照して、移動板６１は、回転中心軸１５７に沿った両端に一方端６１ｊおよび他方端６１ｋを有する。一方端６１ｊは、頂部６２に接続され、他方端６１ｋは、底部６３に接続されている。
【０１００】
本実施の形態では、移動板６１が、一方端６１ｊおよび他方端６１ｋの間で、回転中心軸１５７に対して非平行に延びている。各移動板６１の一方端６１ｊおよび他方端６１ｋは、回転中心軸１５７を中心とする軸周りにおいて互いにずれた位相位置に配置されている。移動板６１は、一方端６１ｊから他方端６１ｋに向けて鉛直方向に対して傾斜しながら延在する。移動板６１は、一方端６１ｊから他方端６１ｋに向けて捩れながら延在している。図中に示す例では、移動板６１と水平方向とがなす角度θが７０°に設定されている。角度θは、たとえば、１０°≦θ≦１７０°の関係を満たす。
【０１０１】
このような構成によれば、送風部１５０からの気流に鉛直方向成分を持たせることができる。特に本実施の形態では、送風部１５０からの気流が斜め上方向に整流される。
【０１０２】
（実施の形態３）
図２２は、この発明の実施の形態３における照明装置を示す斜視図である。図２３は、図２２中の照明装置を示す正面図である。図２４は、図２３中の矢印ＸＸＩＶに示す方向から見た照明装置を示す上面図である。図２５は、図２３中のＸＸＶ−ＸＸＶ線上に沿った照明装置を示す断面図である。
【０１０３】
図２２から図２５を参照して、本実施の形態における照明装置８０は、実施の形態１における送風装置５０と比較して、基本的には同じ構造を備える。
【０１０４】
本実施の形態では、風向変更装置１６０が、全体として球形状を有する。頂部６２および底部６３は、回転中心軸１５７に沿った上下で球面を形成するように構成されている。各移動板６１は、送風口５５に対向する高さにおいて、頂部６２および底部６３の間で円弧状に延びている。
【０１０５】
照明装置８０は、光源８２をさらに有する。光源８２は、たとえば、ＬＥＤ素子と、ＬＥＤ素子からの光を球状に拡散するレンズとから構成されている。光源８２は、送風部１５０により送り出される空気の流れ方向において移動板６１よりも上流側に設けられる。光源８２は、周方向に並ぶ複数の移動板６１の内側に配置されている。光源８２は、球状の風向変更装置１６０の内部に設けられている。
【０１０６】
光源８２が風向変更装置１６０の内部で発光すると、移動板６１は光を遮る遮光板として作用する。送風部１５０からの送風を受けて複数の移動板６１が回転することにより、周囲に漏れる光を回転しながら遮光することが可能となる。
【０１０７】
移動板３３の設置角やピッチ、形状等により、周囲に漏れる光量を調整することができる。また、移動板６１間の隙間を部分的に和紙や拡散材等で覆うことにより、ぼんぼりのように柔らかい光を演出することも可能である。この際、複数の移動板６１の回転速度を調整することにより、木漏れ日を再現した照明等も実現することができる。
【０１０８】
また、光源８２の替わりに、音を発生可能な音源が設けられてもよい。音源から音が発生すると、移動板３３は、音を遮る遮音板として機能する。送風部１５０からの送風を受けて複数の移動板６１が回転することにより、周囲に漏れる音を回転しながら遮音することが可能となる。この際、移動板６１の設置角やピッチ、形状等により周囲に漏れる音量を調整することができる。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１０】
（本発明の説明）
以下、本発明の構成と、その構成によって奏される効果とをまとめて説明する。
【０１１１】
この発明に従った流体送りを用いた装置は、流体を送り出す流体送り部と、流体送り部により送り出される流体から力を受けることによって、流体の流れに交差する断面内を連続的に横切るように設けられる移動板とを備える。
【０１１２】
このように構成された流体送りを用いた装置によれば、移動板が、流体送り部により送り出される流体から力を受けることによって、流体の流れに交差する断面内を連続的に横切るように設けられるため、移動板を簡易な構成により駆動させることができる。
【０１１３】
また好ましくは、流体送りを用いた装置は、互いに間隔を隔てて配置され、流体の流れに交差する断面内を順に横切るように設けられる複数の移動板を備える。
【０１１４】
このように構成された流体送りを用いた装置によれば、複数の移動板を簡易な構成により駆動させることができる。
【０１１５】
また好ましくは、複数の移動板は、環状に並んで配置される。流体送りを用いた装置は、複数の移動板を回転可能に支持する支持部をさらに備える。また好ましくは、複数の移動板は、円周上に並んで配置される。
【０１１６】
このように構成された流体送りを用いた装置によれば、複数の移動板が流体の流れに交差する断面内を順に横切るように設けられる構造を、簡易な構成で実現することができる。
【０１１７】
また好ましくは、移動板は、流体の流れ方向に対して傾斜して設けられる。また好ましくは、移動板は、翼断面形状を有する。
【０１１８】
このように構成された流体送りを用いた装置によれば、移動板が流体から受ける力を、移動板を駆動させる力（駆動力）として利用することができる。
【０１１９】
また好ましくは、移動板は、流体送り部により送り出された流体から力を受ける表面を有する。その表面は、平面または湾曲面である。
【０１２０】
このように構成された流体送りを用いた装置によれば、流体から平面または湾曲面である移動板の表面に力を受けることにより、移動板を駆動させることができる。
【０１２１】
また好ましくは、流体送りを用いた装置は、互いに間隔を隔てて配置され、流体の流れに交差する断面内を順に横切るように設けられる複数の移動板を備える。移動板は、流体の流れ方向に対して傾斜して設けられる。流体の流れ方向と移動板とがなす角度を設置角という場合に、複数の移動板は、設置角が互いに等しくなるように設けられる。
【０１２２】
このように構成された流体送りを用いた装置によれば、複数の移動板を、連続的に、かつ、安定的に駆動させることができる。
【０１２３】
また好ましくは、流体送りを用いた装置は、互いに間隔を隔てて配置され、流体の流れに交差する断面内を順に横切るように設けられる複数の移動板を備える。移動板は、流体の流れ方向に対して傾斜して設けられる。流体の流れ方向と移動板とがなす角度を設置角という場合に、複数の移動板は、設置角αを有する第１移動板と、設置角αとは異なる設置角βを有する第２移動板とを含む。
【０１２４】
このように構成された流体送りを用いた装置によれば、移動板の設置角の違いによって、複数の移動板の駆動に動的な変化を生じさせることができる。
【０１２５】
また好ましくは、設置角αは、０°＜α＜９０°の関係を満たし、設置角βは、０°＜β＜９０°の関係を満たす。また好ましくは、設置角αは、０°＜α＜９０°の関係を満たし、設置角βは、−９０°＜β＜０°の関係を満たす。
【０１２６】
このように構成された流体送りを用いた装置によれば、複数の移動板の駆動に、種々な動的な変化を生じさせることができる。
【０１２７】
また好ましくは、流体送りを用いた装置は、互いに間隔を隔てて配置され、流体の流れに交差する断面内を順に横切るように設けられる複数の移動板を備える。複数の移動板は、流体の流れに交差する断面における流体送り部からの距離が互いに異なる第１移動板および第２移動板を含む。
【０１２８】
このように構成された流体送りを用いた装置によれば、流体送り装置から移動板までの距離の違いによって、複数の移動板の駆動に動的な変化を生じさせることができる。
【０１２９】
また好ましくは、流体送りを用いた装置は、互いに間隔を隔てて配置され、流体の流れに交差する断面内を順に横切るように設けられる複数の移動板を備える。複数の移動板は、互いに異なる形状を有する第１移動板および第２移動板を含む。
【０１３０】
このように構成された流体送りを用いた装置によれば、移動板の形状の違いによって、複数の移動板の駆動に動的な変化を生じさせることができる。
【０１３１】
また好ましくは、流体送りを用いた装置は、互いに間隔を隔てて配置され、流体の流れに交差する断面内を順に横切るように設けられる複数の移動板を備える。複数の移動板は、第１ピッチで配置される複数の第１移動板と、第１ピッチとは異なる第２ピッチで配置される複数の第２移動板とを含む。
【０１３２】
このように構成された流体送りを用いた装置によれば、隣り合う移動板間のピッチの違いによって、複数の移動板の駆動に動的な変化を生じさせることができる。
【０１３３】
また好ましくは、流体送りを用いた装置は、互いに間隔を隔てて円周上に並んで配置され、流体の流れに交差する断面内を順に横切るように設けられる複数の移動板と、複数の移動板を回転可能に支持する支持部とをさらに備える。移動板は、複数の移動板の回転中心軸に沿った両端に一方端および他方端を有し、一方端および他方端の間で複数の移動板の回転中心軸に対して非平行に延びて設けられる。
【０１３４】
このように構成された流体送りを用いた装置によれば、複数の移動板の回転中心軸を基準に任意の方向に、流体を送り出すことができる。
【０１３５】
また好ましくは、流体送りを用いた装置は、複数の移動板をさらに備える。複数の移動板は、互いに間隔を隔てて第１円周上に並んで配置され、流体の流れに交差する断面内を順に横切るように設けられる複数の第１移動板と、互いに間隔を隔てて、第１円周と同心で、かつ、異なる直径を有する第２円周上に並んで配置され、流体の流れに交差する断面内を順に横切るように設けられる複数の第２移動板とを含む。流体送りを用いた装置は、複数の第１移動板および複数の第２移動板を回転可能に支持する支持部をさらに備える。
【０１３６】
このように構成された流体送りを用いた装置によれば、第１円周上および第２円周上間において、流体送り装置から移動板までの距離に違いが生じるため、複数の移動板の駆動に動的な変化を生じさせることができる。
【０１３７】
また好ましくは、流体送りを用いた装置は、互いに間隔を隔てて多角形の辺上に並んで配置され、流体の流れに交差する断面内を順に横切るように設けられる複数の移動板と、複数の移動板を回転可能に支持する支持部とをさらに備える。
【０１３８】
このように構成された流体送りを用いた装置によれば、多角形の辺上の位置によって、流体送り装置から移動板までの距離に違いが生じるため、複数の移動板の駆動に動的な変化を生じさせることができる。
【０１３９】
また好ましくは、流体送りを用いた装置は、互いに間隔を隔てて円周上に並んで配置され、流体の流れに交差する断面内を順に横切るように設けられる複数の移動板と、複数の移動板を回転可能に支持する支持部とをさらに備える。複数の移動板の回転中心軸が、複数の移動板が並ぶ円周の中心からずれて配置される。
【０１４０】
このように構成された流体送りを用いた装置によれば、複数の移動板の回転時のタイミングによって、流体送り装置から移動板までの距離に違いが生じるため、複数の移動板の駆動に動的な変化を生じさせることができる。
【０１４１】
また好ましくは、流体送り部は、空気を送り出す送風部である。移動板は、送風部からの送風の方向を変化させる。
【０１４２】
このように構成された流体送りを用いた装置によれば、移動板の駆動に伴って、送風部からの送風の方向を変化させることができる。
【０１４３】
また好ましくは、流体送りを用いた装置は、流体送り部により送り出される流体の流れ方向において移動板よりも上流側に設けられる光源をさらに備える。流体送り部は、空気を送り出す送風部である。移動板は、光源から外部に向かう光の光量を調節する。
【０１４４】
このように構成された流体送りを用いた装置によれば、移動板の駆動に伴って、光源から外部に向かう光の光量を変化させることができる。
【産業上の利用可能性】
【０１４５】
この発明は、一例として、送風装置に適用される。
【符号の説明】
【０１４６】
１０，５０  送風装置、３１，３１Ｐ，３１Ｑ，３３，６１，６１Ｐ，６１Ｑ  移動板、２３，５５  送風口、２１，１５０  送風部、２２，５２  ファン、３０，３０Ａ，３０Ｂ，１６０  風向変更装置、３２，３２Ｐ，３２Ｑ，６９  支持部、３１ａ  表面、３３ａ  正圧面、３３ｂ  負圧面、３４  前端部、３５  後端部、５１  ベース部、５１ｎ，５３  モータ、５４  首部、５６  軸部、６１ｊ  一方端、６１ｋ  他方端、６２  頂部、６２ｒ  凹部、６３  底部、６４  開口部、６６  ガイド部、８０  照明装置、８２  光源、１０１，１５６  中心軸、１３１，１５７  回転中心軸、１３３，１３４，１３７，１３８  送風範囲、１３９  中心、１４１，１４２，１４３，１４７，１４８  円周、１４６  辺。
【図１】
0006576120.tif 000002
【図２】
0006576120.tif 000003
【図３】
0006576120.tif 000004
【図４】
0006576120.tif 000005
【図５】
0006576120.tif 000006
【図６】
0006576120.tif 000007
【図７】
0006576120.tif 000008
【図８】
0006576120.tif 000009
【図９】
0006576120.tif 000010
【図１０】
0006576120.tif 000011
【図１１】
0006576120.tif 000012
【図１２】
0006576120.tif 000013
【図１３】
0006576120.tif 000014
【図１４】
0006576120.tif 000015
【図１５】
0006576120.tif 000016
【図１６】
0006576120.tif 000017
【図１７】
0006576120.tif 000018
【図１８】
0006576120.tif 000019
【図１９】
0006576120.tif 000020
【図２０】
0006576120.tif 000021
【図２１】
0006576120.tif 000022
【図２２】
0006576120.tif 000023
【図２３】
0006576120.tif 000024
【図２４】
0006576120.tif 000025
【図２５】
0006576120.tif 000026